(57)【要約】      （修正有）【課題】多くの工具を収納できる作業用ケースを提供する。【解決手段】基板２の一方又は両方の側部に、リング状で一部に切欠部２４を有し、その切欠部２４に通常時はこの切欠部２４を閉塞するように付勢され、この付勢力に抗する力を受けたときこの切欠部２４を開く開閉手段２６を有するフック２０を設ける。【選択図】図１
0003158022.tif 000002
【実用新案登録請求の範囲】
【請求項１】
基板の上部にベルト挿通部を有し、その基板のこのベルト挿通部より下の部分に一又は複数の工具収納部を有する作業用ケースにおいて、
上記基板の一方又は両方の側部に、リング状で一部に切欠部を有し、その切欠部に通常時はこの切欠部を閉塞するように付勢され、この付勢力に抗する力を受けたときこの切欠部を開く開閉手段を有するフックを設けた
ことを特徴とする作業用ケース。
【考案の詳細な説明】
【技術分野】
【０００１】
本考案は、基板の上部にベルトを通すベルト挿通部を有し、その基板の正面部に一又は複数の工具保持部を有する作業用ケースに関する。
【背景技術】
【０００２】
建設、土木、建築、電気工事等の現場では作業員が様々の工具類、例えばハッカー、ハンマー等の各種工具類を使用して作業をするので、使用する工具を入れる作業用ケースをズボンのベルト或いは安全ベルトにかけ、それに必要な工具類を入れて現場に臨む。
そして、本願出願人会社は、そのような工具を収納する作業用ケースについて、例えば特願２００１−２７５９７５、特願２００１−２６９７１４等により技術的な提案をし、その提案内容が特開２００３−０８２８５６公報、特開２００３−０８０４７４号公報により公開されている。
【０００３】
従前の作業用ケースは、一般に、皮革或いは合成樹脂からなる適宜な形に成形した板状の基板の上部を基板の例えば前側(或いは裏側）へベルトの通るベルト挿通輪ができるように折り返し、その折り返した部分の端部を基板の前面に固定し、その基板のこの固定した部分よりも下の部分に工具を収納する工具収納部を設けたものが多い。
そして、建築、その他の各種の工事現場においては、日によって、或いは一日における午前、午後等時間、時間帯等によって作業内容が変化することが多く、そのような場合、その変化に対応して使用する工具の種類が多い。
【０００４】
従って、作業用ケースに設ける工具収納部の数は単数のものもあるが、複数にしたものが多く、多くの種類の工具を収納できるようにする種々の工夫が為されている。
【先行技術文献】
【特許文献】
【０００５】
【特許文献１】特開２００３−０８２８５６公報（特願２００１−２７５９７５）
【特許文献２】特開２００３−０８０４７４公報（特願２００１−２６９７１４）
【考案の開示】
【考案が解決しようとする課題】
【０００６】
ところで、作業用ケースは、工具収納部の構造、形状により収納できる工具が概ね限定されてしまうので、作業内容の変化に対応して使用する必要のある工具の種類の多くなると言う実状に対応することが難しいという問題があった。
即ち、前述の通り、工事現場においては、日によって、或いは一日における午前、午後等時間、時間帯等によって作業内容が変化することが多くなりつつあり、その変化に対応して使用する工具の種類が多くなっているが、作業用ケースの一又は複数の工具収納部は各々形状、構造により収納できる工具の種類は自ずと限定される。
【０００７】
例えば、ミゼットカッターを収納するように形成された収納部はミゼットカッターやそれより小さい工具を収納することは可能であるが、それ以外の工具は収納が不可能であるというように、一つの作業用ケースで収納できる工具の種類は限定されるのである。
そこで、本考案者は、一つの作業用ケースで収納できる工具の種類を飛躍的に増やすことができるようにする必要性を認識し、その必要性に応えるべく模索し、本考案を為すに至った。
即ち、本考案は、一つの作業用ケースで収納できる工具の種類を飛躍的に増やすことができるようにすることを目的とする。
【課題を解決するための手段】
【０００８】
本考案作業用ケースは、基板の上部にベルト挿通部を有し、その基板のこのベルト挿通部より下の部分に一又は複数の工具収納部を有する作業用ケースにおいて、上記基板の一方又は両方の側部に、リング状で一部に切欠部を有し、その切欠部に通常時はこの切欠部を閉塞するように付勢され、この付勢力に抗する力を受けたときこの切欠部を開く開閉手段を有するフックを設けたことを特徴とする。
【考案の効果】
【０００９】
本考案作業用ケースによれば、開閉手段が設けられた切欠部のあるフックを有するので、孔等があり、その開閉手段の切欠部を閉じようとする付勢力に抗してその切欠部に一部を入れることによりフックに引っ掛けることのできる工具であれば、どのような工具でも保持することができる。
また、フックに引っ掛かっている工具は、開閉手段をその付勢力に抗して開いてその切欠部を通すことにより外すことができる。
【００１０】
従って、フックにより種々の工具を着脱自在に保持することができ、しかも、保持出来る工具の数を複数個にできる。
依って、作業用ケースで収納できる工具の種類を飛躍的に増やすことができる。
【図面の簡単な説明】
【００１１】
【図１】本考案作業用ケースの第１の実施例を斜め正面から視た斜視図である。
【図２】上記第１の実施例を斜め背面から視た斜視図である。
【図３】本考案作業用ケースの第２の実施例を斜め背面から視た斜視図である。
【考案を実施するための形態】
【００１２】
本考案作業用ケースは、基本的に、基板の上部にベルト挿通部を有し、その基板のこのベルト挿通部より下の部分に一又は複数の工具収納部を有する作業用ケースにおいて、上記基板の側部に、リング状で一部に切欠部を有し、その切欠部に通常時はこの切欠部を閉塞するように付勢され、この付勢力に抗する力を受けたときこの切欠部を開く開閉手段を有するフックを設けたものであり、フックは基板の一方の側部にのみ設けるようにしても良いが、両方の側部に設けるようにしても良い。
【００１３】
基板は、皮革により形成しても良いし、樹脂等他の材料で形成しても良い。
基板の上部のベルト挿通部は、基板の上端部を折り返すことによって形成しても良いし、基板に、例えば金属或いは樹脂からなる別部材を着脱可能に或いは着脱不能に固定し、その部材にベルトを通すようにしても良い。また、基板の上端と、基板の上端より下の部分とに互いに着脱自在に嵌合する例えば金属或いは樹脂からなる部材を設け、基板上部を折り曲げてその部材どうしを嵌合させたり離脱させたりすることもより、リング状のベルト挿通部の形成状態にしたり、非形成状態にしたりするようにしても良い。
【００１４】
フックは、「カラビナ」と称されるものが典型例であるが、必ずしもそれに限定されるものではない。フックの材料としては、金属が好適であるが、必ずしもそれに限定されず、樹脂等他の材料で形成するようにしても良い。
フックのリング状部分には切欠部が設けられ、その切欠部にこれを閉じたり開いたりする開閉手段を設け、更に、開閉手段を常に閉じた状態なるように付勢する付勢手段を設けるのが普通であるが、その閉じた状態を付勢手段の付勢力によってのみ維持するようにしても良いし、閉じた状態をロックするロック機構を設けて閉じた状態を、付勢手段の付勢力とロック機構によるロックとによって維持するようにしても良い。
また、フックにより保持される工具としては、ミゼットカッター、モンキーレンチ、スパナ、ボルトクリッパー等がある。
【実施例１】
【００１５】
以下、本考案の詳細を図示実施例に基いて説明する。
図１及び図２は本考案作業用ケースの第１の実施例（：実施例１）を示すもので、図１は斜め正面から視た斜視図、図２は斜め背面から視た斜視図である。
図面において、２は基板で、例えば皮革からなる。基板２の上部４は、例えば正面側(背面側でも良い。）にリング状のベルト挿通部６を形成するように折り曲げられ、上端を基板２正面(背面でも良い。）にリベット８、８、・・・により固定されている。
【００１６】
１２は上記基板２の正面に両側部を縫合及びリベット８、８、・・・により固定されたポケット形成片で、基板２との間に工具収納部１４が形成される。
１６は上記ポケット形成片１２の正面側に設けられたポケット形成片であり、両側部を縫合及びリベット８、８、・・・によりそのポケット形成片１２に固定され、基板２との間に工具収納部１８を形成する。
上記工具収納部１４、１６には、その形状、大きさに応じた工具、例えばペンチ、ハッカー等の工具を収納することができる。
尚、本考案は、工具収納部１４のみ有し、工具収納部１８を有しないものにも適用することができる。
【００１７】
２０はフックを成すカラビナで、例えば金属からなり、全体としてリング状をなすリング状部２２の一部に切欠部２４を設け、更に、この切欠部２４に開閉手段２６を設けてなる。
開閉手段２６は、リング状部２２の切欠部２４の一方の側の端部近傍の軸２８に一端が回動自在に設けられ、図面に現れない付勢手段により付勢されて切欠部２４を塞ぐ（図１、図２の実線参照）。
そして、リング状部２２は取付金具３０に取り付けられ、この取付金具３０はリベット８により基板２に固定されている。
【００１８】
開閉手段２５は、通常時においてはそのように図示しない付勢手段の付勢力により図１、図２の実線に示す状態を保つが、その付勢力に抗して開閉手段２６を内側に押すとそれに応じて上記軸２８を回動中心として内側に回動(図１の２点鎖線参照）し、切欠部２４を開き、工具Ａの一部が通過可能な状態にする。
そして、その開いた状態の切欠部２４に工具Ａの一部を通し、その孔３０がフックのリング状部２２に外嵌された状態を形成すると、それによりその工具Ａがカラビナ２０に吊り下げられた状態になると共に、上記開閉手段２６は付勢力により切欠部２４を閉じ、工具Ａが脱落しない状態になる。
【００１９】
その工具Ａをカラビナ２０から外すときは、上記開閉手段２６を上記付勢力に抗して回動させ(図１の二点鎖線参照）、切欠部２４を開かせ、工具Ａの一部をその切欠部２４に通す。すると、その工具Ａがカラビナ２０から解放される。
従って、カラビナ２０により工具Ａを着脱可能に保持することができる。
図では、一つの工具Ａだけがカラビナ２０により保持されているが、複数個の工具を同時に保持するようにしても良い。
また、本実施例においては、基板２に向かって右側の側部にカラビナ２０が設けられているが、逆に左側の側部に設けるようにしても良い。
【実施例２】
【００２０】
図３は本考案作業用ケースの第２の実施例（：実施例２）を示す斜め正面から視た斜視図である。
本実施例は、基板２の左右両側部にカラビナ２０を設けた点で、第２の実施例とは異なるが、それ以外の点では第１の実施例とは共通する。そして、共通する点については既に説明済みなので、説明は省略する。
本実施例は、基板２の左右両側部にカラビナ２０、２０を設けたので、より一層作業用ケースで収納できる工具の種類を飛躍的に増やすことができる。
【産業上の利用可能性】
【００２１】
本考案は、基板の上部にベルトを通すベルト挿通部を有し、その基板の正面部に一又は複数の工具保持部を有する作業用ケースに広く産業上の利用可能性がある。
【符号の説明】
【００２２】
２・・・基板、４・・・上部、６・・・ベルト挿通部、２０・・・フック(カラビナ）、
２２・・・リング状部、２６・・・開閉手段、Ａ・・・工具。
【図１】
0003158022.tif 000003
【図２】
0003158022.tif 000004
【図３】
0003158022.tif 000005